(57)【要約】【課題】単純な止水構造であっても止水性能を高めることができ、かつ、点検作業の作業性を向上させることができる洗い場付き浴槽及び浴室ユニットを提供する。【解決手段】浴槽エプロン４がエプロン本体４１とエプロンカバー４２とを有し、エプロンカバー４２が一対のカバー部材４２Ａ，４２Ｂを有し、エプロン本体４１には、開口部５４とその上下に位置する上壁部５５及び下壁部５６とが形成されるとともに、上壁部５５と下壁部５６とに亘る中桟４５が着脱自在に設けられ、上壁部５５、下壁部５６、及び中桟４５にそれぞれ止水材４４を介して一対のカバー部材４２Ａ，４２Ｂが当接されている。【選択図】図４
2015186552.tif 000002
【特許請求の範囲】
【請求項１】
浴槽における洗い場側の側面を構成する浴槽エプロンを備えた洗い場付き浴槽であって、
前記浴槽エプロンは、左右に隣り合って設けられる一対のエプロン部材を有し、
前記浴槽エプロンよりも前記浴槽側には、隣り合う前記一対のエプロン部材の境界部に沿うとともに、該一対のエプロン部材に当接する中桟が着脱自在に設けられていることを特徴とする洗い場付き浴槽。
【請求項２】
前記浴槽エプロンよりも前記浴槽側には、前記一対のエプロン部材に対向する壁部と、該壁部を貫通する開口部と、が設けられ、
前記開口部の上下に位置する上壁部と下壁部とに亘って前記中桟が設けられ、
前記中桟には、前記上壁部及び前記下壁部の少なくとも一方における洗い場側の表面と面一に形成されるとともに、前記エプロン部材と当接される被当接面が形成されていることを特徴とする請求項１に記載の洗い場付き浴槽。
【請求項３】
前記中桟は、前記上壁部及び前記下壁部の少なくとも一方と中桟止水材を介して接続されていることを特徴とする請求項２に記載の洗い場付き浴槽。
【請求項４】
前記上壁部及び前記下壁部の少なくとも一方には、前記中桟を位置決めする位置決め部が形成されていることを特徴とする請求項２又は３に記載の洗い場付き浴槽。
【請求項５】
前記一対のエプロン部材の各々は、前記上壁部、前記下壁部、及び前記中桟にそれぞれ止水材を介して当接されていることを特徴とする請求項２〜４のいずれか一項に記載の洗い場付き浴槽。
【請求項６】
前記止水材は、前記エプロン部材の周端縁寄りに設けられる一次止水材と、該一次止水材よりも前記エプロン部材の中央寄りに設けられる二次止水材と、を有して構成され、
前記中桟と前記上壁部とが当接する上当接部、及び、前記中桟と前記下壁部とが当接する下当接部は、それぞれ前記中桟に沿った前記一次止水材及び前記二次止水材と交差して設けられ、前記一次止水材と前記二次止水材との間には、前記上当接部及び前記下当接部の少なくとも一方に連続して洗い場側の表面よりも浴槽側に凹んだ凹部が、前記壁部及び前記中桟の少なくとも一方に形成されていることを特徴とする請求項５に記載の洗い場付き浴槽。
【請求項７】
請求項１〜６のいずれか一項に記載の洗い場付き浴槽を備えたことを特徴とする浴室ユニット。
【発明の詳細な説明】
【技術分野】
【０００１】
本発明は、浴槽における洗い場側の側面を構成する浴槽エプロンを備えた洗い場付き浴槽及び浴室ユニットに関する。
【背景技術】
【０００２】
従来、ユニットバス等において、浴槽エプロンを備えた洗い場付き浴槽が利用されている（例えば、特許文献１参照）。特許文献１に記載された浴槽エプロンは、左右に分割された一対のエプロン（一方のエプロンと他方のエプロン）を有し、これらのエプロンを浴槽のフランジと洗い場床とに亘って取り付けるとともに、エプロン同士の接続部を凹凸嵌合させる構成を備えたものである。さらに、洗い場床と他方のエプロンとの間に設けた補助部材によって、他方のエプロンを一方のエプロンに向かって（洗い場側に向かって）押圧することで、接続部における凹凸嵌合を補助する構造となっている。
【先行技術文献】
【特許文献】
【０００３】
【特許文献１】特開２０１２−１１０５４３号公報
【発明の概要】
【発明が解決しようとする課題】
【０００４】
しかしながら、特許文献１に記載されたような従来の浴槽エプロンでは、エプロン同士の接続部を凹凸嵌合させることから止水構造が複雑になるとともに、補助部材で押圧する方向がエプロンの取付方向と反対向きであることから、エプロン同士の接続部において面段差が生じやすく、浴槽の外観の見栄えを損ねてしまう。さらに、面段差が生じると、エプロン同士やエプロンと浴槽との間に隙間が生じやすくなり、その隙間を通して浴槽側へ水が浸入する可能性があり、止水性能が低下するという問題もある。
【０００５】
本発明の目的は、浴槽エプロンの面段差を抑制して見栄えを良好にできるとともに止水性能を高めることができる洗い場付き浴槽及び浴室ユニットを提供することにある。
【課題を解決するための手段】
【０００６】
本発明の洗い場付き浴槽は、浴槽における洗い場側の側面を構成する浴槽エプロンを備えた洗い場付き浴槽であって、前記浴槽エプロンは、左右に隣り合って設けられる一対のエプロン部材を有し、前記浴槽エプロンよりも前記浴槽側には、隣り合う前記一対のエプロン部材の境界部に沿うとともに、該一対のエプロン部材に当接する中桟が着脱自在に設けられていることを特徴とする。
【０００７】
以上のような本発明によれば、一対のエプロン部材の境界部に沿った浴槽側に中桟が設けられ、この中桟に一対のエプロン部材をそれぞれ当接させることで、一対のエプロン部材の位置ずれを抑制して、エプロン部材間の面段差が生じにくくでき、浴槽エプロンの外観を良好にすることができる。また、一対のエプロン部材の境界部において、同一の中桟に対して各々のエプロン部材を当接させることで、各エプロン部材がそれぞれ独立して取り付けられ、各エプロン部材に作用する押圧力の方向が同一にできる。従って、各エプロン部材と中桟との間に止水材を設ける場合には、止水材に作用する押圧力を均等化でき、一方、境界部におけるエプロン部材間に止水材を設ける場合には、止水材の位置ずれを抑制することができるので、いずれの止水構造においても複雑な構造を採用することなく、比較的簡単かつ単純な止水構造によって止水することができる。さらに、中桟が着脱自在に設けられていることで、点検作業の際には、エプロン部材を取り外すとともに中桟を取り外すことで大きな開口を得ることができ、作業性を向上させることができる。
【０００８】
この際、本発明の洗い場付き浴槽では、前記浴槽エプロンよりも前記浴槽側には、前記一対のエプロン部材に対向する壁部と、該壁部を貫通する開口部と、が設けられ、前記開口部の上下に位置する上壁部と下壁部とに亘って前記中桟が設けられ、前記中桟には、前記上壁部及び前記下壁部の少なくとも一方における洗い場側の表面と面一に形成されるとともに、前記エプロン部材と当接される被当接面が形成されていることが好ましい。
【０００９】
このような構成によれば、中桟の被当接面と、上壁部や下壁部の洗い場側の表面とが面一に形成されているので、中桟の被当接面と、上壁部や下壁部の洗い場側の表面と、に当接するエプロン部材の押圧力を均等にすることができる。従って、各エプロン部材に作用する押圧力を各部で均等化して面段差がさらに抑制できるとともに、各エプロン部材と、中桟の被当接面、上壁部及び下壁部と、の間に止水材を設ける場合には、その止水性能を向上させることができる。
【００１０】
さらに、本発明の洗い場付き浴槽では、前記中桟は、前記上壁部及び前記下壁部の少なくとも一方と中桟止水材を介して接続されていることが好ましい。
【００１１】
このような構成によれば、中桟止水材を介して中桟が上壁部や下壁部と接続されているので、中桟と上壁部や下壁部との間からの浸水を防止することができる。従って、一対のエプロン部材の境界部から浴槽側の中桟位置まで水が浸入したとしても、この水が中桟と上壁部や下壁部との間から浴槽側へ浸入することを防止し、止水性能をより一層向上させることができる。
【００１２】
また、本発明の洗い場付き浴槽では、前記上壁部及び前記下壁部の少なくとも一方には、前記中桟を位置決めする位置決め部が形成されていることが好ましい。
【００１３】
このような構成によれば、上壁部や下壁部に位置決め部が形成され、この位置決め部によって中桟を位置決めすることで、中桟を所定位置に取り付けるとともに中桟の位置ずれを防止して、中桟とエプロン部材との当接状態を維持することができる。
【００１４】
さらに、本発明の洗い場付き浴槽では、前記一対のエプロン部材の各々は、前記上壁部、前記下壁部、及び前記中桟にそれぞれ止水材を介して当接されていることが好ましい。
【００１５】
このような構成によれば、一対のエプロン部材と、上壁部、下壁部及び中桟と、が止水材を介して当接されており、前述したように隣り合うエプロン部材の各々と、上壁部、下壁部及び中桟と、を均等な押圧力で同一方向に押圧することで、止水材に作用する押圧力を均等化することができ、止水性能をさらに向上させるとことができる。
【００１６】
さらに、本発明の洗い場付き浴槽では、前記止水材は、前記エプロン部材の周端縁寄りに設けられる一次止水材と、該一次止水材よりも前記エプロン部材の中央寄りに設けられる二次止水材と、を有して構成され、前記中桟と前記上壁部とが当接する上当接部、及び、前記中桟と前記下壁部とが当接する下当接部は、それぞれ前記中桟に沿った前記一次止水材及び前記二次止水材と交差して設けられ、前記一次止水材と前記二次止水材との間には、前記上当接部及び前記下当接部の少なくとも一方に連続して洗い場側の表面よりも浴槽側に凹んだ凹部が、前記壁部及び前記中桟の少なくとも一方に形成されていることが好ましい。
【００１７】
このような構成によれば、止水材が一次止水材と二次止水材とで二重に構成され、中桟と上壁部とが当接する上当接部及び中桟と下壁部とが当接する下当接部と、中桟に沿った一次止水材及び二次止水材とが交差する場合において、上当接部や下当接部における一次止水材と二次止水材との間に凹部が形成されていることで、上当接部や下当接部に沿って一次止水材を越えて浸入した水を凹部から排水することができ、二次止水材側への浸入を防止することができる。即ち、上当接部や下当接部には、中桟と上壁部や下壁部との隙間や、それらと止水材との隙間などが形成されやすく、このような細い隙間を伝って水が浸入しやすくなるのであるが、一次止水材を越えて水が浸入した場合であっても、凹部によって隙間よりも容積の大きな空間を形成しておくことで、浸入した水を開放して重力によって排水することができる。
【００１８】
また、本発明の浴室ユニットは、前記いずれかの洗い場付き浴槽を備えたことを特徴とする。
【００１９】
このような構成によれば、前述の洗い場付き浴槽と同様に、エプロン部材間の面段差が生じにくくでき、浴槽エプロンの外観を良好にすることができるとともに、浴槽エプロンの止水構造として比較的簡単かつ単純な構造を採用することができる。
【発明の効果】
【００２０】
以上のような本発明の洗い場付き浴槽及び浴室ユニットによれば、一対のエプロン部材の境界部に沿って浴槽側に中桟を設け、この中桟と各エプロン部材とを当接させることで、各エプロン部材に作用する押圧力の方向が同一になることから、エプロン部材間の面段差が生じにくくでき、浴槽の見栄えを良好にすることができる。さらに、エプロン部材間に面段差が生じにくいことで、エプロン部材同士の間や各エプロン部材と中桟との間の止水構造を簡単かつ単純なものとすることができ、止水性能を高めることができる。
【図面の簡単な説明】
【００２１】
【図１】本発明の実施形態に係る洗い場付き浴槽を示す斜視図である。
【図２】前記洗い場付き浴槽を示す正面図である。
【図３】前記洗い場付き浴槽の浴槽エプロンを示す縦断面図である。
【図４】前記浴槽エプロンを示す分解斜視図である。
【図５】前記浴槽エプロンにおける中桟を示す斜視図である。
【図６】前記中桟の取付構造を示す縦断面図である。
【図７】前記中桟の取付手順を示す斜視図である。
【図８】前記中桟の取付手順を示す斜視図である。
【図９】前記浴槽エプロンの止水構造を示す正面図である。
【図１０】前記浴槽エプロンの止水構造を示す斜視図である。
【図１１】前記浴槽エプロンの止水構造を示す縦断面図である。
【発明を実施するための形態】
【００２２】
以下、本発明の実施形態を図面に基づいて説明する。本実施形態の洗い場付き浴槽１は、浴室ユニットの一部を構成するものであって、図１に示すように、図示しない防水パンの上に支持される浴槽本体（浴槽）２と、この浴槽本体２に隣り合って設けられる洗い場床３と、浴槽本体２における洗い場側の側面を構成する浴槽エプロン４と、を備えて構成されている。
【００２３】
浴槽本体２は、湯水を張って入浴するための入浴部２１と、入浴部２１の周囲から外方に延びるフランジ部２２と、フランジ部２２の外縁から垂下する垂下片部２３と、を有して構成されている。フランジ部２２の下側かつ垂下片部２３の裏側には、浴槽エプロン４のエプロン本体４１（後述）の上端縁を支持する支持部材２４が固定されている。
【００２４】
洗い場床３は、適宜な水勾配を有する床面部３１と、この床面部３１の浴槽側端部に設けられる排水部３２と、浴槽本体２のフランジ部２２下方にて床面部３１から立ち上がる立上壁部３３と、を有して構成されている。洗い場床３には、図３に示すように、浴槽エプロン４を支持する支持ボルト３４が立設され、この支持ボルト３４に螺合する複数のナット３５によってエプロン本体４の下端縁が固定されている。
【００２５】
浴槽エプロン４は、図２、３にも示すように、浴槽本体２の支持部材２４と洗い場床３の支持ボルト３４とに亘って取り付けられるエプロン本体４１と、エプロン本体４１の洗い場側を覆うエプロンカバー４２と、エプロンカバー４２の下端縁をエプロン本体４１に保持する保持部材４３と、を有して構成されている。エプロンカバー４２は、左右に隣り合ってエプロン本体４１に取り付けられる一対のエプロン部材としてのカバー部材４２Ａ，４２Ｂで構成され、カバー部材４２Ａは、エプロン本体４１の過半の部分を覆う幅広に形成され、カバー部材４２Ｂは、図示しない浴室カウンターの出寸法と略同一の幅寸法を有して形成されている。
【００２６】
エプロン本体４１は、図４にも示すように、全体平板状の壁部５０と、壁部５０の左右にて上下に延びて設けられる縦フランジ５１と、壁部５０の上下に設けられる上フランジ５２及び下フランジ５３と、壁部５０を貫通する左右の開口部５４と、を有して形成されている。縦フランジ５１は、上フランジ５２よりも上方まで延びて形成され、この縦フランジ５１の上端には、浴槽本体２のフランジ部２２下面が載置されている。壁部５０には、開口部５４の上側に位置する上壁部５５と、開口部５４の下側に位置する下壁部５６と、がそれぞれ左右に延びて形成されている。
【００２７】
また、図３に示すように、上フランジ５２は、ボルト及びナットにより支持部材２４に固定され、この上フランジ５２には、止水材２４Ａを介して支持部材２４及び垂下片部２３の裏面に当接される突出片５２Ａが形成されている。この突出片５２Ａの左右端部には、図４に示すように、縦フランジ５１の上端まで延びる傾斜片５２Ｂが連続して形成されている。下フランジ５３は、支持ボルト３４及びナット３５により洗い場床３に固定され、この下フランジ５３には、止水材３３Ａを介して洗い場床３に当接される突出片５３Ａが形成されている。
【００２８】
エプロンカバー４２の一対のカバー部材４２Ａ，４２Ｂは、それぞれ樹脂製の中空板状部材で構成され、全体略矩形板状のカバー本体４２１と、カバー本体４２１の上端縁から上方に突出する上突条部４２２と、カバー本体４２１の下端縁から下方に突出する下突条部４２３と、を有して形成されている。また、カバー部材４２Ｂには、浴槽本体２からの配管を浴室カウンターに向かって挿通させるための挿通部４２４が形成されている。
【００２９】
このようなカバー部材４２Ａ，４２Ｂは、エプロン本体４１に設けられた係止部材５７に上突条部４２２が係止されるとともに、保持部材４３を介して下突条部４２３がエプロン本体４１の下壁部５６に固定されることによって、エプロン本体４１に固定されるようになっている。一方、保持部材４３を外して下突条部４２３をエプロン本体４１から離隔させるとともに、係止部材５７による上突条部４２２の係止を解除することで、カバー部材４２Ａ，４２Ｂは、エプロン本体４１から取り外し可能に構成されている。
【００３０】
保持部材４３は、カバー部材４２Ａ，４２Ｂの下突条部４２３に沿って設けられる長尺状の押圧部材４３１と、この押圧部材４３１を下突条部４２３に押圧するとともにエプロン本体４１の下壁部５６に螺合するボルト４３２と、押圧部材４３１に係止されて下突条部４２３の洗い場側を覆う下カバー部材４３３と、を有して構成されている。押圧部材４３１は、例えば樹脂製やステンレス合金、アルミ合金等から形成された断面略Ｃ字形の部材であって、その上端縁と下端縁とで下カバー部材４３３を係止可能に構成されている。下カバー部材４３３は、下方に向かって浴槽本体２側に傾斜した表面部を有した樹脂製部材であって、カバー部材４２Ａ，４２Ｂのカバー本体４２１下端部に当接する止水リップと、洗い場床３の立上壁部３３に当接する止水リップと、を有して形成されている。
【００３１】
また、エプロンカバー４２の一対のカバー部材４２Ａ，４２Ｂには、カバー本体４２１における浴槽本体側の側面外周に沿って連続する止水材４４が設けられている。止水材４４は、カバー本体４２１の外周側（カバー部材４２Ａ，４２Ｂの端縁寄り）に設けられる一次止水材４４Ａと、この一次止水材４４Ａよりも内側（カバー部材４２Ａ，４２Ｂの中央寄り）に設けられる二次止水材４４Ｂと、を有し、これらの一次止水材４４Ａ及び二次止水材４４Ｂをエプロン本体４１の壁部５０に押圧して密接させることで、二重の止水構造が構成されるようになっている。
【００３２】
図１〜５に示すように、エプロン本体４１における一方（図２の右側）の開口部５１には、上壁部５５と下壁部５６とに亘るとともに、一対のカバー部材４２Ａ，４２Ｂの境界部４２Ｃに沿った中桟４５が着脱自在に設けられている。中桟４５は、ステンレス鋼板等の金属板材から曲げ加工により形成された中桟本体４５Ａと、この中桟本体４５Ａをエプロン本体４１に取り付けるための一対の係止部材４５Ｂと、これらの係止部材４５Ｂを中桟本体４５Ａに固定するためのビス４５Ｃと、を有して構成されている。
【００３３】
中桟本体４５Ａは、図５、６にも示すように、全体略矩形状でエプロン本体４１の上壁部５５と下壁部５６とに亘る高さ寸法を有した平坦面部４５１と、この平坦面部４５１の上辺から浴槽側に屈曲して上方に延びる上部第一係止片部４５２と、平坦面部４５１と面一に設けられる左右一対の上部第二係止片部４５３と、平坦面部４５１の下辺から浴槽側に屈曲して下方に延びる下部係止片部４５４と、この下部係止片部４５４の左右端部から上方に延びる一対の固定片部４５５と、平坦面部４５１の左右の縦辺から浴槽本体２側に屈曲した補強リブ４５６と、を有して形成されている。また、図６に示すように、上部第一係止片部４５２と下部係止片部４５４とには、それぞれ上壁部５５と下壁部５６とに密接する中桟止水材４５Ｄが設けられている。
【００３４】
係止部材４５Ｂは、中桟本体４５Ａの固定片部４５５の洗い場側に対向する対向面部４５７と、この対向面部４５７の下辺から洗い場側に屈曲して下方に延びる係止部４５８と、を有して断面クランク状に形成されている。対向面部４５７には、ビス４５Ｃを挿通させる挿通孔が形成されている。ビス４５Ｃは、洗い場側から対向面部４５７の挿通孔に挿通されて中桟本体４５Ａの固定片部４５５に螺合することで、係止部材４５Ｂを中桟本体４５Ａに固定するものである。
【００３５】
中桟４５が取り付けられる上壁部５５及び下壁部５６における開口部５４側の端縁５５Ａ，５６Ａには、それぞれ洗い場側の表面から凹んだ位置決め部としての位置決め凹部５５Ｂ，５６Ｂが形成されている。上壁部５５の位置決め凹部５５Ｂは、中桟本体４５Ａの一対の上部第二係止片部４５３に応じて一対で設けられ、上部第二係止片部４５３の板厚寸法に応じた凹み深さを有して形成されている。下壁部５６の位置決め凹部５６Ｂは、一対の係止部材４５Ｂの係止部４５８に応じて一対で設けられ、係止部４５８の板厚寸法に応じた凹み深さを有して形成されている。また、端縁５５Ａ，５６Ａには、後述する止水構造における排水機能を有する各一対の排水凹部（凹部）５５Ｃ，５６Ｃが形成されている。
【００３６】
このような中桟４５は、図６〜８に示すようにしてエプロン本体４１に取り付けられている。即ち、中桟本体４５Ａの上部第一係止片部４５２を上壁部５５の浴槽側に中桟止水材４５Ｄを介して当接させ、上部第二係止片部４５３を位置決め凹部５５Ｂに当接させることで、上部第一係止片部４５２と上部第二係止片部４５３とによって上壁部５５を挟持する。中桟本体４５Ａの下部係止片部４５４を下壁部５６の浴槽側に中桟止水材４５Ｄを介して当接させ、固定片部４５５に係止部材４５Ｂの対向面部４５７を対向させるとともに、係止部４５８を位置決め凹部５６Ｂに当接させ、ビス４５Ｃを固定片部４５５に螺合して締め付けることで、下部係止片部４５４と係止部４５８とによって下壁部５６を挟持する。
【００３７】
中桟４５がエプロン本体４１に取り付けられた状態において、中桟本体４５Ａの平坦面部４５１の洗い場側表面は、上壁部５５及び下壁部５６の洗い場側表面と面一となり、この平坦面部４５１の表面によって、カバー部材４２Ａ，４２Ｂの一次止水材４４Ａ及び二次止水材４４Ｂが当接する被当接面４５１Ａが形成される。また、中桟４５は、上部第二係止片部４５３が位置決め凹部５５Ｂに嵌合し、係止部４５８が位置決め凹部５６Ｂが嵌合することで、エプロン本体４１に対して左右方向に移動不能に位置決めされた状態で取り付けられている。
【００３８】
また、中桟本体４５Ａの平坦面部４５１の上端縁及び上部第二係止片部４５３と、上壁部５５の端縁５５Ａとは、中桟止水材４５Ｄを介して当接する上当接部５５Ｄとなり、平坦面部４５１の下端縁及び下部係止片部４５４と、下壁部５６の端縁５６Ａとは、中桟止水材４５Ｄを介して当接する下当接部５６Ｄとなる。このような上当接部５５Ｄ及び下当接部５６Ｄは、カバー部材４２Ａ，４２Ｂの境界部４２Ｃに交差するとともに、この境界部４２Ｃに沿った一次止水材４４Ａ及び二次止水材４４Ｂとも交差して設けられることとなる。
【００３９】
次に、浴槽エプロン４における止水構造について図９〜１１も参照して説明する。カバー部材４２Ａ，４２Ｂには、一次止水材４４Ａ及び二次止水材４４Ｂが設けられ、カバー部材４２Ａ，４２Ｂをエプロン本体４１に取り付けることで、一次止水材４４Ａ及び二次止水材４４Ｂが壁部５０の洗い場側表面に押圧状態で密接されるとともに、カバー部材４２Ａ，４２Ｂの境界部４２Ｃにおいて、一次止水材４４Ａ及び二次止水材４４Ｂが中桟４５の被当接面４５１Ａに押圧状態で密接される。これにより、エプロン本体４１及び中桟４５とエプロンカバー４２との間の二重の止水構造が構成されている。
【００４０】
一方、エプロン本体４１の上壁部５５及び下壁部５６と、中桟４５の中桟本体４５Ａとは、上当接部５５Ｄ及び下当接部５６Ｄで中桟止水材４５Ｄを介して当接しており、これによりエプロン本体４１と中桟４５との間にも止水構造が構成されている。ところが、図１１（Ａ）に示すように、下当接部５６Ｄには、下壁部５６の端縁５６Ａと中桟本体４５Ａとの間に連続した溝状の隙間が形成されることがあり、この隙間を伝わった水が一次止水材４４Ａを越える可能性がある。
【００４１】
このような水に対し、一次止水材４４Ａと二次止水材４４Ｂとの間において、下壁部５６の端縁５６Ａには排水凹部５６Ｃが形成されており、一次止水材４４Ａを越えた水が下当接部５６Ｄから開放されることで、図１１（Ｂ）に矢印で示すように、水が下方に流れ落ちるように構成されている。なお、上当接部５５Ｄにおいても下当接部５６Ｄと同様に、一次止水材４４Ａと二次止水材４４Ｂとの間に排水凹部５５Ｃが形成され、一次止水材４４Ａを越えて浸入した水が排水されるようになっている。また、上当接部５５Ｄや下当接部５６Ｄから下方に排水された水は、下壁部５６に沿った一次止水材４４Ａの適宜な位置に設けた排水孔を介して洗い場側に排水できるようになっている。
【００４２】
以上のような本実施形態によれば、以下のような効果がある。カバー部材４２Ａ，４２Ｂに設けた止水材４４が上壁部５５に当接して上部止水ラインが形成され、止水材４４が下壁部５６に当接して下部止水ラインが形成され、止水材４４が中桟４５に当接して縦止水ラインが形成される。上部止水ライン、下部止水ライン及び縦止水ラインを連続させることで、カバー部材４２Ａ，４２Ｂの周辺に沿って連続した止水構造を構成することができる。このように比較的簡単かつ単純な止水構造とすることで、複雑な構造を採用することなく、部品点数の増加を抑制しつつ止水性能を高めることができる。
【００４３】
また、壁部５０の洗い場側表面と中桟４５の被当接面４５１Ａとが面一に設けられているので、これらに当接させる止水材４４の押圧力を均等にすることができ、止水性能をさらに向上させることができる。また、止水材４４の厚さ寸法を均一にすることができるので、止水構造をさらに簡単化することができる。また、カバー部材４２Ａ，４２Ｂがそれぞれ独立してエプロン本体４１に取り付けられるとともに、各カバー部材４２Ａ，４２Ｂの止水材４４に作用する押圧力の方向が同一になることから、カバー部材４２Ａ，４２Ｂ間の面段差が生じにくくでき、浴槽エプロン４の外観を良好にすることができる。さらに、エプロン本体４１の開口部５４に対して中桟４５が着脱自在に設けられているので、中桟４５を取り外すことで大きな開口を得ることができ、開口部５４を通した点検作業の作業性を向上させることができる。
【００４４】
エプロン本体４１に取り付けられる中桟４５の上部第二係止片部４５３が位置決め凹部５５Ｂに嵌合し、係止部４５８が位置決め凹部５６Ｂが嵌合することで、中桟４５が位置決めされるので、中桟４５の位置ずれを防止することができ、中桟４５とカバー部材４２Ａ，４２Ｂとの間の縦止水ラインを確実に形成することができる。さらに、止水材４４が一次止水材４４Ａ及び二次止水材４４Ｂで構成され、二重の止水構造とされていることで、止水性能を向上させることができる。この際、上当接部５５Ｄや下当接部５６Ｄに沿って一次止水材４４Ａを越えて浸入した水を排水凹部５５Ｃ，５６Ｃから排水することができ、二次止水材４４Ｂ側への浸入を防止することができる。従って、カバー部材４２Ａ，４２Ｂの境界部４２Ｃからエプロン本体４１や中桟４５側に水が入ったとしても、この水が浴槽側へ浸入することが防止でき、止水性能をより一層向上させることができる。
【００４５】
なお、本発明は、前記実施形態に限定されるものではなく、本発明の目的が達成できる他の構成等を含み、以下に示すような変形等も本発明に含まれる。例えば、前記実施形態では、浴槽エプロン４のエプロンカバー４２は、一対（２枚）のカバー部材４２Ａ，４２Ｂで構成されていたが、これに限らず、３枚以上のカバー部材（エプロン部材）を有してエプロンカバーが構成されていてもよい。この場合には、エプロン部材同士の複数の境界部に複数の中桟を設けるような構成が採用可能である。また、前記実施形態では、エプロン本体４１は、左右２つの開口部５４を有して構成されていたが、これに限らず、３つ以上の開口部５４を有してエプロン本体が構成されていてもよい。
【００４６】
また、前記実施形態では、浴槽エプロン４がエプロン本体４１とエプロンカバー４２とを備えて構成されていたが、これに限らず、エプロン本体４１を備えずに、隣り合う一対のエプロン部材（カバー部材４２Ａ，４２Ｂに相当）で構成されていてもよい。この場合には、一対のエプロン部材がそれぞれ洗い場床と浴槽本体のフランジ部との間に亘って取り付けられていればよい。さらに、中桟は、洗い場床と浴槽本体との間に着脱自在に取り付けられればよい。また、浴槽エプロン４がエプロン本体４１を備えない場合において、浴槽本体に別体の上壁部材（上壁部）を取り付けてもよいし、洗い場床に別体の下壁部材（下壁部）を取り付けてもよい。このような上壁部材及び下壁部材の両方を設けた場合には、上壁部材と下壁部材とに亘って中桟を取り付け、上壁部材のみを設けた場合には、上壁部材と洗い場床とに亘って中桟を取り付け、下壁部材のみを設けた場合には、浴槽本体と下壁部材とに亘って中桟を取り付けるような構成が採用可能である。
【００４７】
また、前記実施形態では、中桟４５がエプロン本体４１に対して位置決め凹部５５Ｂ，５６Ｂによって所定の１箇所に位置決めされていたが、これに限らず、中桟を複数個所に位置決め可能な複数の位置決め部が形成されていてもよいし、所定箇所に位置決めするのではなく任意の位置に中桟を取り付け可能に構成されていてもよい。
【００４８】
また、前記実施形態では、カバー部材４２Ａ，４２Ｂに設けられる止水材４４が一次止水材４４Ａ及び二次止水材４４Ｂで構成されていたが、これに限らず、止水材が一次止水材４４Ａのみで構成されてもよいし、三次以上の止水材を有して構成されていてもよい。また、止水材は、エプロン部材に設けられるものに限らず、エプロン本体や中桟の側に設けられていてもよいし、エプロン本体やエプロン部材と別体で設けられていてもよい。さらに、止水材は、エプロン部材の周辺に沿って連続して設けられるものに限らず、分割されていてもよいし、分割された一部がエプロン部材に設けられ、他の一部がエプロン本体や中桟に設けられていてもよい。
【００４９】
また、前記実施形態では、エプロン本体４１における上壁部５５及び下壁部５６の洗い場側表面と中桟４５の被当接面４５１Ａとが面一となるように中桟４５が取り付けられていたが、これに限らず、上壁部５５や下壁部５６と中桟４５の被当接面４５１Ａとが面段差を有して構成されていてもよい。この場合には、面段差を吸収するように止水材の厚さ寸法を部分的に変更してもよいし、上壁部や下壁部と中桟との段差部で止水材を曲げて配置するようにしてもよい。また、前記実施形態では、中桟４５の上部第一係止片部４５２と下部係止片部４５４とに中桟止水材４５Ｄが設けられていたが、この中桟止水材４５Ｄは省略されてもよい。中桟止水材を省略する場合には、エプロン本体と中桟との間からの水の浸入を防止するための適宜な防水構造を上当接部５５Ｄや下当接部５６Ｄに設けておくことで、止水性能の低下を抑制することができる。
【００５０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５１】
１        洗い場付き浴槽
２        浴槽本体（浴槽）
３        洗い場床
４        浴槽エプロン
４１      エプロン本体
４２      エプロンカバー
４２Ａ，４２Ｂ  カバー部材（エプロン部材）
４２Ｃ    境界部
４４      止水材
４４Ａ    一次止水材
４４Ｂ    二次止水材
４５      中桟
４５Ｄ    中桟止水材
５０      壁部
５４      開口部
５５      上壁部
５５Ｄ    上当接部
５６      下壁部
５５Ｂ，５６Ｂ  位置決め凹部（位置決め部）
５５Ｃ，５６Ｃ  排水凹部（凹部）
５６Ｄ    下当接部
４５１Ａ  被当接面
【図１】
2015186552.tif 000003
【図２】
2015186552.tif 000004
【図３】
2015186552.tif 000005
【図４】
2015186552.tif 000006
【図５】
2015186552.tif 000007
【図６】
2015186552.tif 000008
【図７】
2015186552.tif 000009
【図８】
2015186552.tif 000010
【図９】
2015186552.tif 000011
【図１０】
2015186552.tif 000012
【図１１】
2015186552.tif 000013